(57)【要約】【課題】  携帯通信端末に格納されている第三者に知られたくない情報の保護レベルを向上させることができるようにすることを目的とする。【解決手段】  ＬＣＤ表示部２０に表示される表示画面には、少なくとも、シークレット状態のときにのみに表示されるシークレット画面ａ〜ｆと、シークレット状態でない通常状態のときにのみに表示される通常画面ｉ〜ｎと、シークレット状態および通常状態の双方で表示される共通画面ｇ〜ｈとがあらかじめ用意されている。すなわち、同種の情報を表示するための画面が、それぞれ、シークレット状態用と通常状態用との２画面設けられている２層構造をなしている。このように、２つの待ち受け画面をそれぞれ初期画面とした２層構造の画面遷移構造としており、第三者に知られたくないデータと知れられても構わないデータとを別個に管理するようにしている。【選択図】  図３
2005348038.tif 000002
【特許請求の範囲】
【請求項１】
通信ネットワークを介して他の通信端末と通信する機能を有する携帯通信端末であって、
ユーザの操作に応じて情報の入力を行う操作手段と、
前記操作手段の操作によって入力されたユーザ入力情報を、シークレット情報と非シークレット情報とに識別して記憶する情報記憶手段と、
表示画面の画面表示を行う画面表示手段と、
前記画面表示手段に表示画面を表示させる表示制御手段と、
前記操作手段の操作によってシークレットモードへの切り替えが指示されたことに応じて、前記情報記憶手段に記憶されている前記シークレット情報を表示するシークレット画面の前記画面表示手段への表示を許容するシークレットモードに設定するシークレットモード設定手段とを備え、
前記表示制御手段は、
前記シークレットモード設定手段により前記シークレットモードに設定されているときには、前記シークレット画面を前記画面表示手段に表示する制御を行い、
前記シークレットモードに設定されていないときには、前記情報記憶手段に記憶されている前記非シークレット情報を表示する画面であって、前記シークレット画面と同種の情報を表示する非シークレット画面を表示する制御を行う
ことを特徴とする携帯通信端末。
【請求項２】
シークレット画面は、シークレットモードに設定されているときの初期画面として用いられるシークレット用待ち受け画面を含み、
非シークレット画面は、シークレットモードに設定されていないときの初期画面として用いられる非シークレット用待ち受け画面を含み、
表示制御手段は、
前記シークレット用待ち受け画面を表示しているときに操作手段による所定の画面遷移操作があったときは、前記シークレット用待ち受け画面以外の他のシークレット画面に遷移させる制御を行い、
前記非シークレット用待ち受け画面を表示しているときに操作手段による所定の遷移操作があったときは、前記非シークレット用待ち受け画面以外の他の非シークレット画面に遷移させる制御を行う
請求項１記載の携帯通信端末。
【請求項３】
情報記憶手段に記憶されているシークレット情報および非シークレット情報には、通信相手である他の通信端末を特定するための通信相手情報がそれぞれ含まれ、
他の通信端末からの情報入力があった場合に、当該他の通信端末の通信相手情報が前記シークレット情報として前記情報記憶手段に記憶されていた場合には、当該他の通信端末からの情報入力に関する履歴情報を、前記シークレット情報として前記情報記憶手段に記憶する履歴記憶手段を備えた
請求項１または請求項２記載の携帯通信端末。
【請求項４】
他の通信端末からの情報入力は、当該他の通信端末からの着信であり、
履歴記憶手段は、前記他の通信端末からの着信があった場合に、当該他の通信端末の通信相手情報である電話番号がシークレット情報として情報記憶手段に記憶されていた場合には、前記電話番号からの着信があったことを示す着信履歴情報を、前記シークレット情報として前記情報記憶手段に記憶する
請求項３記載の携帯通信端末。
【請求項５】
他の通信端末からの情報入力は、当該他の通信端末からの電子メールの受信であり、
履歴記憶手段は、前記他の通信端末から電子メールを受信した場合に、当該他の通信端末の通信相手情報である電子メールアドレスがシークレット情報として情報記憶手段に記憶されていた場合には、前記電子メールアドレスからの電子メールの受信内容を示す受信履歴情報を、前記シークレット情報として前記情報記憶手段に記憶する
請求項３記載の携帯通信端末。
【請求項６】
情報記憶手段に記憶されているシークレット情報および非シークレット情報には、ユーザのスケジュールを示すスケジュール情報を含む
請求項１から請求項５のうちいずれか１項に記載の携帯通信端末。
【請求項７】
通信ネットワークを介して他の通信端末と通信する機能を有する携帯通信端末が備える情報記憶手段に記憶されているシークレット情報の漏洩を防止するプライバシー保護方法であって、
前記携帯通信端末に備えられた操作手段の操作によって入力されたユーザ入力情報を、シークレット情報と非シークレット情報とに識別して前記情報記憶手段に記憶し、
前記操作手段の操作によってシークレットモードへの切り替えが指示されたことに応じて、前記情報記憶手段に記憶されている前記シークレット情報を表示するシークレット画面を前記携帯通信端末に備えられた画面表示手段に表示することを許容するシークレットモードに設定し、
前記シークレットモードに設定されているときには、前記シークレット画面を前記画面表示手段に表示する制御を行い、
前記シークレットモードに設定されていないときには、前記情報記憶手段に記憶されている前記非シークレット情報を表示する画面であって、前記シークレット画面と同種の情報を表示する非シークレット画面を表示する制御を行う
ことを特徴とするプライバシー保護方法。
【請求項８】
シークレット画面は、シークレットモードに設定されているときの初期画面として用いられるシークレット用待ち受け画面を含み、
非シークレット画面は、シークレットモードに設定されていないときの初期画面として用いられる非シークレット用待ち受け画面を含み、
前記シークレット用待ち受け画面を表示しているときに操作手段による所定の画面遷移操作があったときは、前記シークレット用待ち受け画面以外の他のシークレット画面に遷移させる制御を行い、
前記非シークレット用待ち受け画面を表示しているときに操作手段による所定の遷移操作があったときは、前記非シークレット用待ち受け画面以外の他の非シークレット画面に遷移させる制御を行う
請求項７記載のプライバシー保護方法。
【請求項９】
情報記憶手段に記憶されているシークレット情報および非シークレット情報には、通信相手である他の通信端末を特定するための通信相手情報がそれぞれ含まれ、
他の通信端末からの情報入力があった場合に、当該他の通信端末の通信相手情報が前記シークレット情報として前記情報記憶手段に記憶されていた場合には、当該他の通信端末からの情報入力に関する履歴情報を、前記シークレット情報として前記情報記憶手段に記憶する
請求項７または請求項８記載のプライバシー保護方法。
【請求項１０】
他の通信端末からの情報入力は、当該他の通信端末からの着信であり、
前記他の通信端末からの着信があった場合に、当該他の通信端末の通信相手情報である電話番号がシークレット情報として情報記憶手段に記憶されていた場合には、前記電話番号からの着信があったことを示す着信履歴情報を、前記シークレット情報として前記情報記憶手段に記憶する
請求項９記載のプライバシー保護方法。
【請求項１１】
他の通信端末からの情報入力は、当該他の通信端末からの電子メールの受信であり、
前記他の通信端末から電子メールを受信した場合に、当該他の通信端末の通信相手情報である電子メールアドレスがシークレット情報として情報記憶手段に記憶されていた場合には、前記電子メールアドレスからの電子メールの受信内容を示す受信履歴情報を、前記シークレット情報として前記情報記憶手段に記憶する
請求項９記載のプライバシー保護方法。
【請求項１２】
情報記憶手段に記憶されているシークレット情報および非シークレット情報には、ユーザのスケジュールを示すスケジュール情報を含む
請求項７から請求項１１のうちいずれか１項に記載のプライバシー保護方法。
【発明の詳細な説明】
【技術分野】
【０００１】
本発明は、プライバシー保護機能付き携帯通信端末に関し、特に、電話帳やスケジュールなどの情報の漏洩を防止するためのプライバシー保護機能を有する携帯通信端末、および携帯通信端末内に格納されている情報の漏洩を防止するためのプライバシー保護方法に関する。
【背景技術】
【０００２】
従来から、携帯電話端末などの携帯通信端末には、電話帳やスケジュールの管理を行う機能が備えられたものがある。このため、携帯通信端末には各種の個人情報が格納されているが、携帯通信端末が日常的に携帯されるという性質上、他人に貸したり、紛失したりすることがあり、その際に、端末内に格納されている個人情報が第三者に知られてしまう可能性がある。
【０００３】
上記のことから、携帯通信端末には、端末内に格納されている情報が第三者に知られることを防止するための各種のプライバシー保護機能が備えられたものがある（例えば、特許文献１−６参照）。
【０００４】
【特許文献１】特開２０００−４９９２４号公報
【特許文献２】特開２０００−３０７７０６号公報
【特許文献３】特開２００２−３２３１５号公報
【特許文献４】特開２００２−３７３１４０号公報
【特許文献５】特開２００３−２４９９９４号公報
【特許文献６】特開２００３−２９８７１５号公報
【発明の開示】
【発明が解決しようとする課題】
【０００５】
しかしながら、特許文献１−６に記載されたプライバシー保護機能では、端末内に格納されている電子メールの内容や電話番号の漏洩や、第三者による情報の読み出しや書き込みを防止するために、シークレット設定を行うようにしているが、第三者に知られたくない情報の全てを確実に保護することはできないという課題があった。
【０００６】
本発明は、上述した問題を解消し、第三者に知られたくない情報の保護レベルを向上させることができるようにすることを目的とする。
【課題を解決するための手段】
【０００７】
本発明による携帯通信端末は、通信ネットワークを介して他の通信端末と通信する機能を有する携帯通信端末（例えば携帯電話端末１０）であって、ユーザの操作に応じて情報の入力を行う操作手段（例えば操作部６０）と、操作手段の操作によって入力されたユーザ入力情報を、シークレット情報（例えばシークレットフラグ１の通信相手情報）と非シークレット情報（例えばシークレットフラグ０の通信相手情報）とに識別して記憶する情報記憶手段（例えばメモリ３１）と、表示画面の画面表示を行う画面表示手段（例えばＬＣＤ表示部２０）と、画面表示手段に表示画面を表示させる表示制御手段（例えば制御部３０）と、操作手段の操作によってシークレットモードへの切り替えが指示（例えばモード切替パスワードの入力）されたことに応じて、情報記憶手段に記憶されているシークレット情報を表示するシークレット画面（例えばシークレット画面ａ〜ｆ）の画面表示手段への表示を許容するシークレットモードに設定するシークレットモード設定手段（例えば制御部３０）とを備え、表示制御手段は、シークレットモード設定手段によりシークレットモードに設定されているときには、シークレット画面を画面表示手段に表示する制御（例えば、シークレット画面ａを表示する制御、シークレット画面ａからシークレット画面ｂ〜ｆに遷移させる制御）を行い、シークレットモードに設定されていないときには、情報記憶手段に記憶されている非シークレット情報を表示する画面であって、シークレット画面と同種の情報を表示する非シークレット画面（例えばシークレット画面ｉ〜ｎ）を表示する制御（例えば、シークレット画面ｉを表示する制御、シークレット画面ｉからシークレット画面ｊ〜ｎに遷移させる制御）を行うことを特徴とする。
【０００８】
上記のように構成したことで、シークレットモードであるときにのみ表示されるシークレット画面と、シークレットモードでないときにのみ表示される非シークレット画面とを用いて２層構造で表示画面を管理することができ、シークレットモードを解除しておくだけで情報の漏洩を防止することができ、第三者に知られたくない情報の保護レベルを向上させることができる。
【０００９】
シークレット画面は、シークレットモードに設定されているときの初期画面として用いられるシークレット用待ち受け画面（例えばシークレット画面ａ）を含み、非シークレット画面は、シークレットモードに設定されていないときの初期画面として用いられる非シークレット用待ち受け画面（例えばシークレット画面ｉ）を含み、表示制御手段は、シークレット用待ち受け画面を表示しているときに操作手段による所定の画面遷移操作があったときは、シークレット用待ち受け画面以外の他のシークレット画面（例えばシークレット画面ｂ〜ｆ）に遷移させる制御を行い、非シークレット用待ち受け画面を表示しているときに操作手段による所定の遷移操作があったときは、非シークレット用待ち受け画面以外の他の非シークレット画面（例えばシークレット画面ｊ〜ｎ）に遷移させる制御を行うように構成されていてもよい。
【００１０】
情報記憶手段に記憶されているシークレット情報および非シークレット情報には、通信相手である他の通信端末を特定するための通信相手情報（例えば図２に示す電話帳データに登録されている通信相手情報）がそれぞれ含まれ、他の通信端末からの情報入力があった場合に（例えばステップＳ５０１のＹ）、当該他の通信端末の通信相手情報がシークレット情報として情報記憶手段に記憶されていた場合には（例えばステップＳ５０２のＹ）、当該他の通信端末からの情報入力に関する履歴情報を、シークレット情報として情報記憶手段に記憶する履歴記憶手段（例えば制御部３０におけるステップＳ５０３を実行する部分）を備えていてもよい。
【００１１】
他の通信端末からの情報入力は、当該他の通信端末からの着信であり、履歴記憶手段は、他の通信端末からの着信があった場合に（例えばステップＳ５０１のＹ）、当該他の通信端末の通信相手情報である電話番号がシークレット情報として情報記憶手段に記憶されていた場合には（例えばステップＳ５０２のＹ）、電話番号からの着信があったことを示す着信履歴情報を、シークレット情報として情報記憶手段に記憶する（例えばステップＳ５０３）ように構成されていてもよい。
【００１２】
他の通信端末からの情報入力は、当該他の通信端末からの電子メールの受信であり、履歴記憶手段は、他の通信端末から電子メールを受信した場合に（例えばステップＳ５０１のＹ）、当該他の通信端末の通信相手情報である電子メールアドレスがシークレット情報として情報記憶手段に記憶されていた場合には（例えばステップＳ５０２のＹ）、電子メールアドレスからの電子メールの受信内容を示す受信履歴情報を、シークレット情報として情報記憶手段に記憶する（例えばステップＳ５０３）ように構成されていてもよい。
【００１３】
情報記憶手段に記憶されているシークレット情報および非シークレット情報には、ユーザのスケジュールを示すスケジュール情報を含む構成とされていてもよい。
【００１４】
また、本発明によるプライバシー保護方法は、通信ネットワークを介して他の通信端末と通信する機能を有する携帯通信端末（例えば携帯電話端末１０）が備える情報記憶手段（例えばメモリ３１）に記憶されているシークレット情報の漏洩を防止するプライバシー保護方法であって、携帯通信端末に備えられた操作手段（例えば操作部６０）の操作によって入力されたユーザ入力情報を、シークレット情報と非シークレット情報とに識別して情報記憶手段に記憶し、操作手段の操作によってシークレットモードへの切り替えが指示されたことに応じて、情報記憶手段に記憶されているシークレット情報を表示するシークレット画面を携帯通信端末に備えられた画面表示手段（例えばＬＣＤ表示部２０）に表示することを許容するシークレットモードに設定し、シークレットモードに設定されているときには、シークレット画面を画面表示手段に表示する制御を行い、シークレットモードに設定されていないときには、情報記憶手段に記憶されている非シークレット情報を表示する画面であって、シークレット画面と同種の情報を表示する非シークレット画面を表示する制御を行うことを特徴とする。
【００１５】
上記のように構成したことで、シークレットモードであるときにのみ表示されるシークレット画面と、シークレットモードでないときにのみ表示される非シークレット画面とを用いて２層構造で携帯通信端末表の示画面を管理することができ、シークレットモードを解除しておくだけで情報の漏洩を防止することができ、第三者に知られたくない情報の保護レベルを向上させることができる。
【００１６】
シークレット画面は、シークレットモードに設定されているときの初期画面として用いられるシークレット用待ち受け画面を含み、非シークレット画面は、シークレットモードに設定されていないときの初期画面として用いられる非シークレット用待ち受け画面を含み、シークレット用待ち受け画面を表示しているときに操作手段による所定の画面遷移操作があったときは、シークレット用待ち受け画面以外の他のシークレット画面に遷移させる制御を行い、非シークレット用待ち受け画面を表示しているときに操作手段による所定の遷移操作があったときは、非シークレット用待ち受け画面以外の他の非シークレット画面に遷移させる制御を行うように構成されていてもよい。
【００１７】
情報記憶手段に記憶されているシークレット情報および非シークレット情報には、通信相手である他の通信端末を特定するための通信相手情報がそれぞれ含まれ、他の通信端末からの情報入力があった場合に、当該他の通信端末の通信相手情報がシークレット情報として情報記憶手段に記憶されていた場合には、当該他の通信端末からの情報入力に関する履歴情報を、シークレット情報として情報記憶手段に記憶するように構成されていてもよい。
【００１８】
他の通信端末からの情報入力は、当該他の通信端末からの着信であり、他の通信端末からの着信があった場合に、当該他の通信端末の通信相手情報である電話番号がシークレット情報として情報記憶手段に記憶されていた場合には、電話番号からの着信があったことを示す着信履歴情報を、シークレット情報として情報記憶手段に記憶するように構成されていてもよい。
【００１９】
他の通信端末からの情報入力は、当該他の通信端末からの電子メールの受信であり、他の通信端末から電子メールを受信した場合に、当該他の通信端末の通信相手情報である電子メールアドレスがシークレット情報として情報記憶手段に記憶されていた場合には、電子メールアドレスからの電子メールの受信内容を示す受信履歴情報を、シークレット情報として情報記憶手段に記憶するように構成されていてもよい。
【００２０】
情報記憶手段に記憶されているシークレット情報および非シークレット情報には、ユーザのスケジュールを示すスケジュール情報を含む構成とされていてもよい。
【発明の効果】
【００２１】
本発明によれば、シークレットモードであるときにのみ表示されるシークレット画面と、シークレットモードでないときにのみ表示される非シークレット画面とを用いて２層構造で表示画面を管理することができ、シークレットモードを解除しておくだけで情報の漏洩を防止することができ、第三者に知られたくない情報の保護レベルを向上させることができる。
【発明を実施するための最良の形態】
【００２２】
以下、本発明の実施の形態について図面を参照して説明する。
図１は、本発明の一実施の形態における携帯電話端末１０の構成の例を示すブロック図である。
【００２３】
図１に示すように、携帯電話端末１０は、ＬＣＤ（Ｌｉｑｕｉｄ  Ｃｒｙｓｔａｌ  Ｄｉｓｐｌａｙ）表示部２０と、制御部３０と、アンテナ４０と、無線部５０と、操作部６０と、マイクロフォン（マイク）７０と、スピーカ８０とを含む。
【００２４】
ＬＣＤ表示部２０は、制御部３０からの指示にもとづいて、端末１０に対して何らの操作も行われていない着信待ち状態のときに表示される待ち受け画面や、電話帳の内容を表示する電話帳画面などの各種の画面表示を行う機能を有する。
【００２５】
制御部３０は、メモリ３１と、ＣＰＵ３２と、図示しない各種の周辺回路とで構成され、携帯電話端末１０が備える各部の制御を行う機能を有する。
【００２６】
メモリ３１は、例えばＲＡＭなどの記憶媒体によって構成され、電話帳、発信履歴、時着信履歴、電子メールボックス、スケジュール、画像データ、動画像データ、制御プログラムなどの各種のデータが格納される。なお、メモリ３１の一部がＲＯＭによって構成されていてもよく、ＲＯＭ部分に制御プログラムが格納されていてもよい。
【００２７】
ＣＰＵ３２は、メモリ３１に格納された制御プログラムに従って、ＬＣＤ表示部２０、無線部５０、マイク７０、スピーカ８０などの各部の制御を行う。
【００２８】
具体的には、ＣＰＵ３２は、例えば、ユーザ操作によって操作部６０から入力された操作信号にもとづくＬＣＤ表示部２０への画像表示指示などの各種の処理を実行する。
【００２９】
無線部５０は、信号の変復調を行う機能を有する。具体的には、無線部５０は、無線信号を、アンテナ４０を介して受信して復調する処理を行う。また、無線部５０は、制御部３０から出力された信号を変調し、アンテナ４０を介して無線信号を送信する機能を有する。
【００３０】
操作部６０は、例えば電話番号の入力などを行うためのボタンなどの入力装置によって構成され、ユーザの操作に応じた入力信号を制御部３０に出力する機能を有する。
【００３１】
マイク７０は、通話時にユーザが発した音声を音声信号に変換し、制御部３０に出力する機能を有する。
【００３２】
スピーカ８０は、通話時にアンテナ４０と無線部５０とを介して受信した音声データにもとづく音声や着信音などの各種の音声出力を行う機能を有する。
【００３３】
本例の携帯電話端末１０は、通話時には、マイク７０から入力したアナログ音声を制御部３０にてディジタル変換し、無線部５０およびアンテナ４０を介して送信する。また、通話時に、アンテナ４０および無線部５０を介して受信した音声データは、制御部３０にてアナログ変換し、スピーカ８０より音声出力する。
【００３４】
図２は、メモリ３１に格納されている電話帳データ等のデータ構造の例を示す説明図である。図２に示すように、電話帳データは、電話機能にもとづく発信・着信相手あるいは電子メール機能にもとづく電子メールの送信・受信相手である通信相手を示す複数の通信相手データによって構成される。通信相手データは、図２に示すように、例えば、名前と、電話番号と、電子メールアドレスと、シークレット機能状態フラグ（シークレットフラグ）とを含む通信相手に関する各種のデータが対応付けされているデータである。
【００３５】
シークレットフラグは、ユーザによる操作部６０の操作によって、通信相手データが電話帳データとして登録されるときに設定されるフラグであり、対応する通話相手データが第三者に知られても良い情報であるか否かを示すフラグである。
【００３６】
シークレットフラグがセット「１」されている場合（シークレット設定されている場合）には、対応する通信相手データが第三者に知られたくない情報であることを示す。一方、シークレットフラグがリセット「０」されている場合（シークレット設定されていない場合）には、対応する通信相手データが第三者に知られても良い情報であることを示す。
【００３７】
なお、通信相手データの登録が後述するシークレット状態（シークレットモード）のときに表示される電話帳画面ｂ上で実行されてときには、制御部３０が、シークレットフラグを自動的に「１」に設定するようにしてもよい。同様に、通信相手データの登録が後述する通常状態（通常モード）のときに表示される電話帳画面ｎ上で実行されてときには、制御部３０が、シークレットフラグを自動的に「０」に設定するようにしてもよい。
【００３８】
図２に示すように、メモリ３１は、シークレット状態用履歴データを格納する領域と、通常状態用履歴データを格納する領域とが別個に設けられている。シークレット状態用履歴データは、シークレット設定されている通信相手に関する履歴情報が格納される領域である。また、通常状態用履歴データは、シークレット設定されていない通信相手に関する履歴情報が格納される領域である。
【００３９】
本例では、図２に示すように、履歴情報として、電話をかけた相手の履歴を示す発信履歴と、電話をかけてきた相手の履歴を示す着信履歴と、送信メールボックスに格納されている送信した電子メールの内容や送信元の履歴と、受信メールボックスに格納されている受信した電子メールの内容や送信先の履歴とがある。各履歴情報は、シークレット状態用履歴データと通常状態用履歴データとに分けられて、メモリ３１に格納されている。
【００４０】
図３は、本例の携帯電話端末１０のＬＣＤ表示部２０に表示される表示画面の遷移図である。本例では、シークレット状態であるときとないときとで、同種の情報を表示する異なる表示画面がＬＣＤ表示部２０に表示される。すなわち、２層構造で表示画面を管理している。
【００４１】
図３に示すように、ＬＣＤ表示部２０に表示される表示画面には、少なくとも、シークレット状態のときにのみに表示されるシークレット画面ａ〜ｆと、シークレット状態でない通常状態のときにのみに表示される通常画面ｉ〜ｎと、シークレット状態および通常状態の双方で表示される共通画面ｇ〜ｈとがあらかじめ用意されている。
【００４２】
シークレット画面は、待ち受け画面ａと、電話帳画面ｂと、発信履歴画面ｃと、着信履歴画面ｄと、受信メール画面ｅと、送信メール画面ｆとを含む。
【００４３】
また、通常画面は、待ち受け画面ｉと、発信履歴画面ｊと、着信履歴画面ｋと、受信メール画面ｌと、送信メール画面ｍと、電話帳画面ｎとを含む。
【００４４】
このように、本例では、同種の情報を表示するための画面が、それぞれ、シークレット状態用と通常状態用との２画面設けられている２層構造をなしている。
【００４５】
待ち受け画面ａは、シークレット状態に設定されているときの待ち受け画面として用いられるシークレット用待ち受け画面であり、待ち受け画面ｉは、シークレット状態に設定されていないときの待ち受け画面として用いられる通常用待ち受け画面である。
【００４６】
シークレット画面ｂ〜ｆは、待ち受け画面ａのみから遷移する画面である。また、通常画面ｊ〜ｎは、待ち受け画面ｉのみから遷移する画面である。さらに、共通画面ｇ〜ｈは、シークレット用待ち受け画面ａおよび通常用待ち受け画面ｉの双方から遷移する画面である。
【００４７】
電話帳画面ｂに表示される電話帳に含まれている電話番号を選択して発信したときの発信履歴は、発信履歴画面ｃにのみ表示される発信履歴情報として、メモリ３１におけるシークレット状態用履歴データの格納領域（発信履歴の格納領域）に格納される。また、電話帳画面ｂに表示される電話帳に含まれている電話番号から着信があったときの着信履歴は、着信履歴画面ｄにのみ表示される着信履歴情報として、メモリ３１におけるシークレット状態用履歴データの格納領域（着信履歴の格納領域）に格納される。
【００４８】
同様に、電話帳画面ｂに表示される電話帳に含まれている電子メールアドレスを選択して電子メールを送信したときの送信履歴（送信先電子メールアドレスや、電子メールの本文など）は、送信メール画面ｆにのみ表示される送信メール情報として、メモリ３１におけるシークレット状態用履歴データの格納領域（送信メールボックス）に格納される。また、電話帳画面ｂに表示される電話帳に含まれている電子メールアドレスから電子メールを受信したときの受信履歴は、受信メール画面ｅにのみ表示される受信メール情報として、メモリ３１におけるシークレット状態用履歴データの格納領域（受信メールボックス）に格納される。
【００４９】
一方、電話帳画面ｎに表示される電話帳に含まれている電話番号を選択して発信したときの発信履歴は、発信履歴画面ｊにのみ表示される発信履歴情報として、メモリ３１における通常状態用履歴データの格納領域（発信履歴の格納領域）に格納される。また、電話帳画面ｎに表示される電話帳に含まれている電話番号から着信があったときの着信履歴は、着信履歴画面ｋにのみ表示される着信履歴情報として、メモリ３１における通常状態用履歴データの格納領域（着信履歴の格納領域）に格納される。
【００５０】
同様に、電話帳画面ｎに表示される電話帳に含まれている電子メールアドレスを選択して電子メールを送信したときの送信履歴は、送信メール画面ｍにのみ表示される送信メール情報として、メモリ３１における通常状態用履歴データの格納領域（送信メールボックス）に格納される。また、電話帳画面ｎに表示される電話帳に含まれている電子メールアドレスから電子メールを受信したときの受信履歴は、受信メール画面ｌにのみ表示される受信メール情報として、メモリ３１における通常状態用履歴データの格納領域（受信メールボックス）に格納される。
【００５１】
なお、図３に示す画面以外の画面についても、シークレット状態用と通常状態用との２画面設けられ、２層構造をなしている。例えば、シークレット状態に設定されているときに保存したスケジュールは、シークレット用の待ち受け画面ａからのみ遷移可能なスケジュール機能画面に保存され、通常状態に設定されているときに保存したスケジュールは、通常用の待ち受け画面ｉからのみ遷移可能なスケジュール機能画面に保存される。
【００５２】
上記のように、本例では、２つの待ち受け画面をそれぞれ初期画面とした２層構造の画面遷移構造としており、第三者に知られたくないデータと知れられても構わないデータとを別個に管理するようにしている。
【００５３】
次に、シークレット機能の設定について説明する。
図４は、シークレット状態における機能とパスワードとを設定するためのシークレット機能設定画面の表示状態の例を示す説明図である。なお、シークレット機能設定画面は、例えば共通画面ｇである。ただし、他人に設定されたり設定内容を変更されないように、端末１０に設定されている所定のパスワードを入力しなければシークレット機能設定画面が表示されないようにすることが望ましい。
【００５４】
図４に示すように、シークレット機能設定画面には、シークレット機能を設定することが可能な各種の項目と、通常状態（通常用の待ち受け画面ｉ）からシークレット状態（シークレット用の待ち受け画面ａ）に移行するためのモード切替パスワードの入力領域とが設けられている。
【００５５】
シークレット機能設定画面において、ユーザによる操作部６０の操作に応じて、ユーザが希望する項目についてシークレット機能が設定（ＯＮ）されるとともに、モード切替パスワードが設定される。
【００５６】
すると、シークレット機能が設定された項目については２層構造で管理される。また、通常用の待ち受け画面ｉにて操作部６０の操作によりモード切替パスワードが入力されると、シークレット用の待ち受け画面ａに遷移することとなる。
【００５７】
なお、シークレット用の待ち受け画面ａから通常用の待ち受け画面ｉへの遷移は、例えば、シークレット用の待ち受け画面ａに設けられたモード切替ボタンの押下、あるいは端末１０の側面部などに設けられたボタンの長押しなどの簡単な操作によって行われる。
【００５８】
次に、携帯電話端末１０の動作について詳細に説明する。
図５は、本発明の一実施の形態における携帯電話端末１０が実行する履歴情報登録処理の例を示すフローチャートである。
【００５９】
履歴情報登録処理において、制御部３０は、まず、電話の発着、電話の着信、電子メールの送信、または電子メールの受信があったか否か確認する（ステップＳ５０１）。すなわち、通信ネットワーク（例えば一般公衆回線網、インターネットなど）を介して通信相手との通信がなされたか否か確認する。
【００６０】
通信相手との通信が実行された場合には（ステップＳ５０１のＹ）、制御部３０は、通信相手の電話番号あるいは電子メールアドレスを用いて、その通信相手がシークレット設定されている者であるか否か確認する（ステップＳ５０２）。
【００６１】
ステップＳ５０２では、メモリ３１の電話帳データに登録されているシークレットフラグがセットされている通信相手データに、今回の通信における通信相手の電話番号あるいは電子メールアドレスが含まれているデータがあるか否かを確認する。
【００６２】
今回の通信相手がシークレット設定されている通信相手であれば、制御部３０は、通信が開始されたとき（電話の発着信あるいは電子メールの送受信があったとき）に表示されていた画面がシークレット画面であるか通常画面であるか共通画面であるかにかかわらず、今回の通信に関わる履歴データをシークレット状態用履歴データとしてメモリ３１に保存する（ステップＳ５０３）。
【００６３】
一方、今回の通信相手がシークレット設定されている通信相手でなければ、制御部３０は、通信が開始されたとき（電話の発着信あるいは電子メールの送受信があったとき）に表示されていた画面がシークレット画面であるか通常画面であるか共通画面であるかにかかわらず、今回の通信に関わる履歴データを通常状態用履歴データとしてメモリ３１に保存する（ステップＳ５０４）。
【００６４】
以上説明したように、本発明の一実施の形態では、シークレットモードであるときにのみ表示されるシークレット画面と、通常モードであるときにのみ表示される通常画面とを用いて２層構造で表示画面を管理する構成としたので、通常モードに切り替えておくだけで情報の漏洩を防止することができ、第三者に知られたくない情報の保護レベルを向上させることができる。
【００６５】
また、上述した一実施の形態では、待ち受け画面を、シークレット画面への遷移を行うためのシークレット用の待ち受け画面ａと、通常画面への遷移を行うための通常用の待ち受け画面ｉとの２画面設ける構成としたので、シークレット用の待ち受け画面ａと通常用の待ち受け画面ｉとを切り替えるだけで容易にシークレットモードと通常モードとを切り替えることができる。
【００６６】
よって、第三者に知られたくない情報を保護する際には、待ち受け画面を通常用の待ち受け画面ｉにしておくだけでよいため、電話帳データにてシークレット設定されている通信相手データの秘密管理を容易に行うことができる。
【００６７】
また、待ち受け画面に表示されている情報に第三者に知られたくない情報が含まれている場合があるが、上述した一実施の形態では、シークレット用の待ち受け画面ａに第三者に知られたくない情報が表示されていたとしても、通常モードでは通常用の待ち受け画面ｉが表示されることになるため、シークレット用の待ち受け画面ａに表示されている情報が第三者に知られてしまうことを防止することができる。よって、シークレット用の待ち受け画面ａに第三者に知られたくない情報（特に、第三者には知られたくないが頻繁に確認されるようなスケジュールなどの情報）を表示させることができる。
【００６８】
また、シークレットモードから通常モードへの切り替えは簡単な操作によって行う構成としているので、普段はシークレット用の待ち受け画面ａにしておいて、第三者に貸し出すときや端末１０から離れるときに簡単に通常用の待ち受け画面ｉに切り替えることができる。従って、最も頻繁に目にする待ち受け画面ａに表示されている情報が第三者に知られてしまうことを防止することができる。
【００６９】
さらに、シークレット用の待ち受け画面ａと通常用の待ち受け画面ｉとに別個の画像などを表示するようにすれば、端末１０のユーザは、待ち受け画面を見ただけで現在のモードがシークレットモードであるのか否かを把握することができる。一方で、第三者にはモードの状態が認識されないようにすることができる。このように、シークレットモードに設定されているか否かについての情報も、第三者に知られてしまうことが防止される。
【００７０】
上述したように、一実施の形態では、シークレット用の待ち受け画面ａをシークレット画面の遷移の初期画面とし、通常用の待ち受け画面ｉを通常画面の遷移の初期画面とする構成としたことで、電話帳や履歴データだけでなく、待ち受け画面（シークレット用の待ち受け画面ａ）に表示されている情報やモードの設定状態についても、第三者に知られてしまうことを防止することができ、第三者に知られたくない情報の保護レベルを向上させることができる。
【００７１】
なお、上述した一実施の形態では、第三者に知られたくない情報を含む情報を表示するシークレット画面と、第三者に知られたくない情報を含まない情報を表示する通常画面とを用いて２層構造で表示画面を管理する構成としていたが、仕事関連の情報を表示するビジネス用画面や、プライベート関連の情報を表示するプライベート画面などの秘密性を有する所定の範疇の情報を表示する画面をも用いて３層以上の構成で表示画面を管理する構成としてもよい。なお、上述した一実施の形態におけるシークレット画面をビジネス用画面として用いるようにしてもよい。上記のように構成すれば、公用、使用などの用途に応じ、各階層の画面を使い分けることができる。
【００７２】
また、上述した一実施の形態では、例えばＰＤＣ（Personal Digital Cellular）やＰＨＳ（Personal Handyphone System）などの携帯電話端末１０を例に説明したが、ＰＤＡ（Personal Digital Assistants）などの他の携帯通信端末に適用することができることは勿論である。
【図面の簡単な説明】
【００７３】
【図１】本発明の一実施の形態における携帯電話端末の構成の例を示すブロック図である。
【図２】メモリに格納されている電話帳データ等のデータ構造の例を示す説明図である。
【図３】本発明の一実施の形態における携帯電話端末のＬＣＤ表示部に表示される表示画面の遷移図である。
【図４】シークレット状態における機能とパスワードとを設定するためのシークレット機能設定画面の表示状態の例を示す説明図である。
【図５】本発明の一実施の形態における履歴情報登録処理の例を示すフローチャートである。
【符号の説明】
【００７４】
１０                    携帯電話端末
２０                    ＬＣＤ表示部
３０                    制御部
３１                    メモリ
３２                    ＣＰＵ
４０                    アンテナ
５０                    無線部
６０                    操作部
７０                    マイク
８０                    スピーカ
【図１】
2005348038.tif 000003
【図２】
2005348038.tif 000004
【図３】
2005348038.tif 000005
【図４】
2005348038.tif 000006
【図５】
2005348038.tif 000007